(57)【特許請求の範囲】
【請求項１】
スキャン部またはネットワーク通信部から入力された文書を出力する出力部と、前記入力された文書に利用制限を付けて蓄積文書として蓄積可能な文書蓄積部とを有する画像形成装置であって、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応付けて作成する証明情報作成手段と、
前記照合情報及び前記証明情報を対応づけて保持する第１保持手段と、
前記証明情報とセッション情報とを対応付けて保持する第２保持手段と、
前記証明情報と対応付けた前記セッション情報を前記外部のネットワーク機器に送信するセッション情報送信手段と、
前記外部のネットワーク機器から前記セッション情報を利用した蓄積文書出力要求を受信する蓄積文書出力要求受信手段と、
前記蓄積文書出力要求が利用する前記セッション情報に対応付けられた前記証明情報を前記第２保持手段から取得する証明情報取得手段と、
取得した前記証明情報に対応付けられた前記照合情報を前記第１保持手段から取得し、その照合情報に応じた蓄積文書識別情報を出力する蓄積文書識別情報取得手段と、
前記蓄積文書識別情報に応じた蓄積文書を前記文書蓄積部から取得して前記出力部で出力する蓄積文書出力手段と
を有することを特徴とする画像形成装置。
【請求項２】
前記証明情報作成手段は、前記証明情報の識別子および前記蓄積文書の識別子を含むように前記照合情報を生成することで、前記証明情報取得要求に応じた照合情報およびその照合情報を特定する為の証明情報を対応付けることを特徴とする請求項１記載の画像形成装置。
【請求項３】
前記証明情報作成手段は、前記証明情報の識別子，前記蓄積文書の識別子及び前記蓄積文書の使用権限を証明する暗証情報を含むように前記照合情報を生成することを特徴とする請求項２記載の画像形成装置。
【請求項４】
スキャン部またはネットワーク通信部から入力された文書を出力する出力部と、前記入力された文書に利用制限を付けて蓄積文書として蓄積可能な文書蓄積部とを有する画像形成装置の蓄積文書出力方法であって、
外部のネットワーク機器から前記文書蓄積手段に蓄積された蓄積文書に対する証明情報取得要求を受信する証明情報取得要求受信ステップと、
その証明情報取得要求に応じた照合情報及びその照合情報を特定する為の証明情報を対応付けて作成する証明情報作成ステップと、
前記照合情報及び前記証明情報を対応づけて第１保持手段に保持する第１保持ステップと、
前記証明情報とセッション情報とを対応付けて第２保持手段に保持する第２保持ステップと、
前記証明情報と対応付けた前記セッション情報を前記外部のネットワーク機器に送信するセッション情報送信ステップと、
前記外部のネットワーク機器から前記セッション情報を利用した蓄積文書出力要求を受信する蓄積文書出力要求受信ステップと、
前記蓄積文書出力要求が利用する前記セッション情報に対応付けられた前記証明情報を前記第２保持手段から取得する証明情報取得ステップと、
取得した前記証明情報に対応付けられた前記照合情報を前記第１保持手段から取得し、その照合情報に応じた蓄積文書識別情報を出力する蓄積文書識別情報取得ステップと、
前記蓄積文書識別情報に応じた蓄積文書を前記文書蓄積部から取得して前記出力部で出力する蓄積文書出力ステップと
を有することを特徴とする蓄積文書出力方法。
【請求項５】
前記証明情報作成ステップは、前記証明情報の識別子および前記蓄積文書の識別子を含むように前記照合情報を生成することで、前記証明情報取得要求に応じた照合情報およびその照合情報を特定する為の証明情報を対応付けることを特徴とする請求項４記載の蓄積文書出力方法。
【請求項６】
前記証明情報作成手段は、前記証明情報の識別子，前記蓄積文書の識別子及び前記蓄積文書の使用権限を証明する暗証情報を含むように前記照合情報を生成することを特徴とする請求項５記載の蓄積文書出力方法。
【請求項７】
１つ以上の外部のネットワーク機器と、前記外部のネットワーク機器にネットワークを介して接続された画像形成装置とを用いて、前記画像形成装置の文書蓄積部に蓄積された蓄積文書を出力する蓄積文書出力システムであって、
前記画像形成装置は、スキャン部またはネットワーク通信部から入力された文書を出力する出力部と、
前記入力された文書に利用制限を付けて蓄積文書として蓄積可能な文書蓄積部と、
外部のネットワーク機器から前記文書蓄積手段に蓄積された蓄積文書に対する証明情報取得要求を受信する証明情報取得要求受信手段と、
その証明情報取得要求に応じた照合情報及びその照合情報を特定する為の証明情報を対応付けて作成する証明情報作成手段と、
前記照合情報及び前記証明情報を対応づけて保持する第１保持手段と、
前記証明情報とセッション情報とを対応付けて保持する第２保持手段と、
前記証明情報と対応付けた前記セッション情報を前記外部のネットワーク機器に送信するセッション情報送信手段と、
前記外部のネットワーク機器から前記セッション情報を利用した蓄積文書出力要求を受信する蓄積文書出力要求受信手段と、
前記蓄積文書出力要求が利用する前記セッション情報に対応付けられた前記証明情報を前記第２保持手段から取得する証明情報取得手段と、
取得した前記証明情報に対応付けられた前記照合情報を前記第１保持手段から取得し、その照合情報に応じた蓄積文書識別情報を出力する蓄積文書識別情報取得手段と、
前記蓄積文書識別情報に応じた蓄積文書を前記文書蓄積部から取得して前記出力部で出力する蓄積文書出力手段と
を有することを特徴とする蓄積文書出力システム。
【請求項８】
前記証明情報作成手段は、前記証明情報の識別子および前記蓄積文書の識別子を含むように前記照合情報を生成することで、前記証明情報取得要求に応じた照合情報およびその照合情報を特定する為の証明情報を対応付けることを特徴とする請求項７記載の蓄積文書出力システム。
【請求項９】
前記証明情報作成手段は、前記証明情報の識別子，前記蓄積文書の識別子及び前記蓄積文書の使用権限を証明する暗証情報を含むように前記照合情報を生成することを特徴とする請求項８記載の蓄積文書出力システム。
【発明の詳細な説明】
【技術分野】
【０００１】
本発明は、画像形成装置，蓄積文書出力方法および蓄積文書出力システムに係り、特に外部のネットワーク機器からの要求に応じて蓄積文書を出力するための画像形成装置，蓄積文書出力方法および蓄積文書出力システムに関する。
【背景技術】
【０００２】
近年、プリンタ，コピー，ファクシミリおよびスキャナなどの各装置の機能を１つの筐体内に収納した画像形成装置（以下、融合機という）が知られるようになった。この融合機は、１つの筐体内に表示部，印刷部および撮像部などを設けると共に、プリンタ，コピー，ファクシミリおよびスキャナにそれぞれ対応する４種類のソフトウェアを設け、そのソフトウェアを切り替えることより、プリンタ，コピー，ファクシミリおよびスキャナとして動作させるものである。
【０００３】
このような融合機は、例えば文書管理データベース（以下、文書管理ＤＢという）に文書ファイルを蓄積文書として格納している。融合機はネットワーク機器や他の融合機などにネットワークを介して接続され、配信機能を利用して例えば文書管理ＤＢに格納している蓄積文書の配信を行う。また、融合機は印刷機能を利用して例えば文書管理ＤＢに格納している蓄積文書の印刷を行う。なお、セキュリティ上の問題に対応するため、融合機は文書管理ＤＢに格納している蓄積文書にパスワードを設定することが多い。
【０００４】
例えば融合機から蓄積文書をダウンロードする場合、ネットワーク機器は所望の蓄積文書を識別するための文書ＩＤおよびその蓄積文書の使用権限を証明するパスワードを融合機に送信する。融合機はパスワード認証を行った後に、文書ＩＤに対応する蓄積文書を文書管理ＤＢから読み出し、その蓄積文書をネットワーク機器に供給する。
【０００５】
例えば融合機の蓄積文書を印刷する場合、ネットワーク機器は所望の蓄積文書を識別するための文書ＩＤおよびその蓄積文書の使用権限を証明するパスワードを融合機に送信する。融合機はパスワード認証を行った後に、文書ＩＤに対応する蓄積文書を文書管理ＤＢから読み出し、その蓄積文書を印刷する。
【０００６】
また、融合機の蓄積文書を印刷する場合、ネットワーク機器は所望の蓄積文書を識別するための文書ＩＤおよびその蓄積文書の使用権限を証明するパスワードを融合機に送信する。融合機はパスワード認証を行った後に、文書ＩＤに対応する蓄積文書を文書管理ＤＢから読み出してネットワーク機器に送信する。ネットワーク機器は、受信した蓄積文書を融合機に送信することにより、融合機の蓄積文書を印刷する。
【０００７】
このように、ネットワーク機器はネットワークを介して接続される融合機に対して蓄積文書のダウンロード要求又は蓄積文書の印刷要求を行っていた。
【発明の開示】
【発明が解決しようとする課題】
【０００８】
しかしながら、従来の融合機は蓄積文書の転送要求，印刷要求の他、蓄積文書に関する様々な処理要求をネットワーク機器や他の融合機から受信する。このため、融合機は蓄積文書に関する様々な処理要求に応じたユーザサービスのプロセスが設けられている。
【０００９】
したがって、蓄積文書にパスワードが設定されている場合、蓄積文書に関する様々な処理要求に応じたユーザサービスのプロセスごとにパスワード認証の機能を設ける必要があり、機能が重複するという問題があった。
【００１０】
また、融合機は文書管理ＤＢから読み出した蓄積文書を複数のユーザサービスのプロセスで取り扱う場合、読み出した蓄積文書をそのまま転送する。したがって、融合機のリソースを無駄に浪費しているという問題があった。
【００１１】
さらに、融合機とネットワーク機器との間で文書管理ＤＢから読み出した蓄積文書を転送させて蓄積文書を印刷する場合、ネットワークに大きな負荷を掛けることがあるという問題があった。
【００１２】
本発明は、上記の点に鑑みなされたもので、蓄積文書に対する認証機能を共有することができ、リソースを浪費することなく，ネットワークに大きな負荷を掛けることなく蓄積文書の出力が可能な画像形成装置，蓄積文書出力方法および蓄積文書出力システムを提供することを目的とする。
【課題を解決するための手段】
【００１３】
上記課題を解決するため、本発明は、スキャン部またはネットワーク通信部から入力された文書を出力する出力部と、前記入力された文書に利用制限を付けて蓄積文書として蓄積可能な文書蓄積部とを有する画像形成装置であって、外部のネットワーク機器から前記文書蓄積手段に蓄積された蓄積文書に対する証明情報取得要求を受信する証明情報取得要求受信手段と、その証明情報取得要求に応じた照合情報及びその照合情報を特定する為の証明情報を対応付けて作成する証明情報作成手段と、前記照合情報及び前記証明情報を対応づけて保持する第１保持手段と、前記証明情報とセッション情報とを対応付けて保持する第２保持手段と、前記証明情報と対応付けた前記セッション情報を前記外部のネットワーク機器に送信するセッション情報送信手段と、前記外部のネットワーク機器から前記セッション情報を利用した蓄積文書出力要求を受信する蓄積文書出力要求受信手段と、前記蓄積文書出力要求が利用する前記セッション情報に対応付けられた前記証明情報を前記第２保持手段から取得する証明情報取得手段と、取得した前記証明情報に対応付けられた前記照合情報を前記第１保持手段から取得し、その照合情報に応じた蓄積文書識別情報を出力する蓄積文書識別情報取得手段と、前記蓄積文書識別情報に応じた蓄積文書を前記文書蓄積部から取得して前記出力部で出力する蓄積文書出力手段とを有することを特徴とする。
【００１４】
また、上記課題を解決するため、本発明は、スキャン部またはネットワーク通信部から入力された文書を出力する出力部と、前記入力された文書に利用制限を付けて蓄積文書として蓄積可能な文書蓄積部とを有する画像形成装置の蓄積文書出力方法であって、外部のネットワーク機器から前記文書蓄積手段に蓄積された蓄積文書に対する証明情報取得要求を受信する証明情報取得要求受信ステップと、その証明情報取得要求に応じた照合情報及びその照合情報を特定する為の証明情報を対応付けて作成する証明情報作成ステップと、前記照合情報及び前記証明情報を対応づけて第１保持手段に保持する第１保持ステップと、前記証明情報とセッション情報とを対応付けて第２保持手段に保持する第２保持ステップと、前記証明情報と対応付けた前記セッション情報を前記外部のネットワーク機器に送信するセッション情報送信ステップと、前記外部のネットワーク機器から前記セッション情報を利用した蓄積文書出力要求を受信する蓄積文書出力要求受信ステップと、前記蓄積文書出力要求が利用する前記セッション情報に対応付けられた前記証明情報を前記第２保持手段から取得する証明情報取得ステップと、取得した前記証明情報に対応付けられた前記照合情報を前記第１保持手段から取得し、その照合情報に応じた蓄積文書識別情報を出力する蓄積文書識別情報取得ステップと、前記蓄積文書識別情報に応じた蓄積文書を前記文書蓄積部から取得して前記出力部で出力する蓄積文書出力ステップとを有することを特徴とする。
【００１５】
また、上記課題を解決するため、本発明は、１つ以上の外部のネットワーク機器と、前記外部のネットワーク機器にネットワークを介して接続された画像形成装置とを用いて、前記画像形成装置の文書蓄積部に蓄積された蓄積文書を出力する蓄積文書出力システムであって、前記画像形成装置は、スキャン部またはネットワーク通信部から入力された文書を出力する出力部と、前記入力された文書に利用制限を付けて蓄積文書として蓄積可能な文書蓄積部と、外部のネットワーク機器から前記文書蓄積手段に蓄積された蓄積文書に対する証明情報取得要求を受信する証明情報取得要求受信手段と、その証明情報取得要求に応じた照合情報及びその照合情報を特定する為の証明情報を対応付けて作成する証明情報作成手段と、前記照合情報及び前記証明情報を対応づけて保持する第１保持手段と、前記証明情報とセッション情報とを対応付けて保持する第２保持手段と、前記証明情報と対応付けた前記セッション情報を前記外部のネットワーク機器に送信するセッション情報送信手段と、前記外部のネットワーク機器から前記セッション情報を利用した蓄積文書出力要求を受信する蓄積文書出力要求受信手段と、前記蓄積文書出力要求が利用する前記セッション情報に対応付けられた前記証明情報を前記第２保持手段から取得する証明情報取得手段と、取得した前記証明情報に対応付けられた前記照合情報を前記第１保持手段から取得し、その照合情報に応じた蓄積文書識別情報を出力する蓄積文書識別情報取得手段と、前記蓄積文書識別情報に応じた蓄積文書を前記文書蓄積部から取得して前記出力部で出力する蓄積文書出力手段とを有することを特徴とする。
【発明の効果】
【００１６】
本発明によれば、文書管理サービスが蓄積文書に対する認証を行った後で外部のネットワーク機器からの証明情報取得要求に応じた証明情報を生成し、証明情報に対応するセッション情報を外部のネットワーク機器が文書管理サービスから取得し、セッション情報を外部のネットワーク機器から取得することにより、蓄積文書に対する認証機能を共有できる。
【００１７】
また、証明情報取得要求に応じたセッション情報を外部のネットワーク機器との間で転送させ、蓄積文書を無駄に転送させずに蓄積文書を出力できる。従って、画像形成装置のリソースを浪費することなく，且つネットワークに大きな負荷を掛けることなく蓄積文書の出力が可能である。
【００１８】
さらに、証明情報に対応するセッション情報を外部のネットワーク機器との間で転送させることにより、証明情報がネットワークを流れることがないため、セキュリティを向上できる。
【発明を実施するための最良の形態】
【００１９】
次に、本発明を実施するための最良の形態を、以下の実施例に基づき図面を参照しつつ説明していく。
【００２０】
図１は、本発明による融合機の一実施例の構成図を示す。融合機１は、白黒ラインプリンタ（Ｂ＆Ｗ  ＬＰ）１１と，カラーラインプリンタ（Ｃｏｌｏｒ  ＬＰ）１２と，スキャナやファクシミリなどのハードウェアリソース１３と，ソフトウェア群２０と，融合機起動部５０とを有する。また、ソフトウェア群２０はアプリケーション３０とプラットフォーム４０とを有する。
【００２１】
融合機起動部５０は、融合機１の電源投入時に最初に実行され、アプリケーション３０やプラットフォーム４０を起動するものである。例えば融合機起動部５０は、アプリケーション３０およびプラットフォーム４０のプログラムをハードディスク装置（以下、ＨＤＤという）から読み出し、読み出した各プログラムをメモリ領域に転送して起動するものである。
【００２２】
アプリケーション３０は、プリンタ，コピー，ファクシミリおよびスキャナなどの画像形成処理にかかるユーザサービスにそれぞれ固有の処理を行うものである。なお、画像形成に係るユーザサービスの処理を行うプログラムとは、例えばアプリケーション３０である。
【００２３】
アプリケーション３０は、ページ記述言語（ＰＤＬ，ＰＣＬ）およびポストスクリプト（ＰＳ）を有するプリンタ用のアプリケーションであるプリンタアプリ３１と，コピー用アプリケーションであるコピーアプリ３２と，ファクシミリ用アプリケーションであるファックスアプリ３３と，スキャナ用アプリケーションであるスキャナアプリ３４と，ネットワークファイル用アプリケーションであるネットファイルアプリ３５と，工程検査用アプリケーションである工程検査アプリ３６と、ＷｅｂページアプリケーションであるＷｅｂページアプリ３７と、文書管理アプリケーションである文書管理アプリ３８とを有している。
【００２４】
また、プラットフォーム４０は、アプリケーション３０からの処理要求を解釈してハードウェア資源の獲得要求を発生するコントロールサービスと、１つ以上のハードウェア資源の管理を行ってコントロールサービスからの獲得要求を調停するシステムリソースマネージャ（以下、ＳＲＭという）４３と、オペレーティングシステム（以下、ＯＳという）４１とを有するように構成されている。
【００２５】
コントロールサービスは、システムコントロールサービス（以下、ＳＣＳという）４２，エンジンコントロールサービス（以下、ＥＣＳという）４４，メモリコントロールサービス（以下、ＭＣＳという）４５，オペレーションパネルコントロールサービス（以下、ＯＣＳという）４６，ファックスコントロールサービス（以下、ＦＣＳという）４７，ネットワークコントロールサービス（以下、ＮＣＳという）４８など一つ以上のサービスモジュールを有するように構成されている。
【００２６】
なお、プラットフォーム４０は予め定義されている関数によりアプリケーション３０からの処理要求を受信可能とするアプリケーションプログラムインターフェース（以下、ＡＰＩという）を有するように構成されている。ＯＳ４１は、ユニックス（ＵＮＩＸ（登録商標））等であって、アプリケーション３０およびプラットフォーム４０の各ソフトウェアをプロセスとして並列実行する。
【００２７】
ＳＲＭ４３のプロセスは、ＳＣＳ４２と共にシステムの制御およびリソースの管理を行うものである。例えばＳＲＭ４３のプロセスは、スキャナ部やプリンタ部などのエンジン，メモリ，ＨＤＤファイル，ホストＩ／Ｏ（セントロＩ／Ｆ，ネットワークＩ／Ｆ，ＩＥＥＥ１３９４  Ｉ／Ｆ，ＲＳ２３２Ｃ  Ｉ／Ｆなど）のハードウェア資源を利用する上位層からの要求に従って調停を行い、実行制御する。
【００２８】
具体的に、ＳＲＭ４３は要求されたハードウェア資源が利用可能であるか（他の要求により利用されていないかどうか）を判定し、利用可能であれば要求されたハードウェア資源が利用可能である旨を上位層に通知する。また、ＳＲＭ４３は上位層からの要求に対してハードウェア資源を利用するためのスケジューリングを行い、要求内容（例えば、プリンタエンジンによる紙搬送と作像動作，メモリ確保，ファイル生成など）を直接実施している。
【００２９】
ＳＣＳ４２のプロセスは、アプリケーション管理，操作部制御，システム画面表示，ＬＥＤ表示，リソース管理，割り込みアプリケーション制御などの処理を行う。ＥＣＳ４４のプロセスは、白黒ラインプリンタ１１，カラーラインプリンタ１２，ハードウェアリソース１３などのエンジン部の制御を行う。
【００３０】
ＭＣＳ４５のプロセスは、画像メモリの取得および解放，ＨＤＤの利用，画像データの圧縮および伸張などのメモリ制御を行う。ＯＣＳ４６のプロセスは、オペレータと本体制御との間の情報伝達手段となるオペレーションパネルの制御を行う。
【００３１】
ＦＣＳ４７のプロセスは、システムコントローラの各アプリケーション層からＰＳＴＮまたはＩＳＤＮ網を利用したファクシミリ送受信，バックアップ用のメモリで管理されている各種ファクシミリデータの登録／引用，ファクシミリ読み取り，ファクシミリ受信印刷，融合送受信を行うためのＡＰＩを提供する。
【００３２】
ＮＣＳ４８のプロセスは、ネットワークＩ／Ｏを必要とするアプリケーションに対して共通に利用できるサービスを提供するものであり、ネットワーク側から各プロトコルによって受信したデータを各アプリケーションに振り分けたり、各アプリケーションからのデータをネットワーク側に送信する際の仲介を行う。
【００３３】
例えばＮＣＳ４８は、ネットワークを介して接続されるネットワーク機器とのデータ通信をｈｔｔｐｄ（HyperText Transfer Protocol Daemon）により、ＨＴＴＰ（HyperText Transfer Protocol）で制御する。
【００３４】
融合機１は、各アプリケーションで共通的に必要な処理をプラットフォーム４０で一元的に処理することができる。次に、融合機１のハードウェア構成について説明する。
【００３５】
図２は、本発明による融合機の一実施例のハードウェア構成図を示す。融合機１は、コントローラ６０と，オペレーションパネル７０と，ファックスコントロールユニット（以下、ＦＣＵという）８０と，ＵＳＢデバイス９０と，ＩＥＥＥ１３９４デバイス１００と，エンジン部１１０とを有する。
【００３６】
また、コントローラ６０は、ＣＰＵ６１と，ＭＥＭ−Ｐ６２と，ノースブリッジ（以下、ＮＢという）６３と，サウスブリッジ（以下、ＳＢという）６４と，ＡＳＩＣ６６と，ＭＥＭ−Ｃ６７と，ＨＤＤ６８とを有する。
【００３７】
オペレーションパネル７０は、コントローラ６０のＡＳＩＣ６６に接続されている。また、ＦＣＵ８０，ＵＳＢデバイス９０，ＩＥＥＥ１３９４デバイス１００およびエンジン部１１０は、コントローラ６０のＡＳＩＣ６６にＰＣＩバスで接続されている。
【００３８】
コントローラ６０は、ＡＳＩＣ６６にＭＥＭ−Ｃ６７，ＨＤＤ６８などが接続されると共に、ＣＰＵ６１とＡＳＩＣ６６とがＣＰＵチップセットのＮＢ６３を介して接続されている。このように、ＮＢ６３を介してＣＰＵ６１とＡＳＩＣ６６とを接続すれば、ＣＰＵ６１のインターフェースが公開されていない場合に対応できる。
【００３９】
なお、ＡＳＩＣ６６とＮＢ６３とはＰＣＩバスを介して接続されているのでなく、ＡＧＰ（Accelerated Graphics Port）６５を介して接続されている。このように、図１のアプリケーション３０やプラットフォーム４０を形成する一つ以上のプロセスを実行制御するため、ＡＳＩＣ６６とＮＢ６３とを低速のＰＣＩバスでなくＡＧＰ６５を介して接続し、パフォーマンスの低下を防いでいる。
【００４０】
ＣＰＵ６１は、融合機１の全体制御を行うものである。ＣＰＵ６１は、ＯＳ４１上にＳＣＳ４２，ＳＲＭ４３，ＥＣＳ４４，ＭＣＳ４５，ＯＣＳ４６，ＦＣＳ４７およびＮＣＳ４８をそれぞれプロセスとして起動して実行させると共に、アプリケーション３０を形成するプリンタアプリ３１，コピーアプリ３２，ファックスアプリ３３，スキャナアプリ３４，ネットファイルアプリ３５，工程検査アプリ３６，Ｗｅｂページアプリ３７および文書管理アプリ３８を起動して実行させる。
【００４１】
ＮＢ６３は、ＣＰＵ６１，ＭＥＭ−Ｐ６２，ＳＢ６４およびＡＳＩＣ６６を接続するためのブリッジである。ＭＥＭ−Ｐ６２は、融合機１の描画用メモリなどとして用いるシステムメモリである。ＳＢ６４は、ＮＢ６３とＲＯＭ，ＰＣＩバス，周辺デバイスとを接続するためのブリッジである。
【００４２】
ＭＥＭ−Ｃ６７は、コピー用画像バッファ，符号バッファとして用いるローカルメモリである。ＡＳＩＣ６６は、画像処理用のハードウェア要素を有する画像処理用途向けのＩＣである。ＨＤＤ６８は、画像データの蓄積，文書データの蓄積，プログラムの蓄積，フォントデータの蓄積，フォームの蓄積を行うためのストレージである。なお、文書蓄積手段とは、例えばＨＤＤ６８である。また、オペレーションパネル７０は、オペレータからの入力操作を受け付けると共に、オペレータに向けた表示を行う操作部である。
【００４３】
以下、融合機１により実現される蓄積文書印刷方法について図面を参照しつつ順次説明していく。図３は、本発明による第１実施例の蓄積文書印刷方法について説明するための融合機の機能構成図を示す。なお、図３の機能構成図は説明に必要のない機能構成を省略している。
【００４４】
図３に表されるように、本発明の蓄積文書印刷方法は融合機１にインターネットなどのネットワーク３を介して接続されるネットワーク機器２が、融合機１に蓄積されている文書ファイル（以下、蓄積文書という）を融合機１に印刷させるためのものである。
【００４５】
ネットワーク機器２と融合機１の文書管理サービス１２３および印刷サービス１３０とがＸＭＬ（eXtensible Markup Language）形式でデータ交換を行う。また、データ・アクセス・プロトコルとしてＳＯＡＰ（Simple Object Access Protocol）と呼ばれる通信プロトコル規格を利用する。
【００４６】
まず、ネットワーク機器２は融合機１に蓄積されている蓄積文書のリストおよび文書ＩＤを融合機１から入手しているものとする。ネットワーク機器２を操作するユーザは画面上に表示されている蓄積文書のリストから印刷を所望する蓄積文書を選択すると共に、蓄積文書の印刷にパスワードの入力が必要であればパスワードを入力する。
【００４７】
ステップＳ２１では、ネットワーク機器２が、ユーザにより選択された蓄積文書の文書ＩＤおよびパスワードを、ネットワーク３およびＮＣＳ４８のｈｔｔｐｄ１２１を介して融合機１の文書管理サービス１２３に送信することでチケット１２４の取得要求を行う。チケット取得要求は、ＳＯＡＰおよびＸＭＬを利用して行われる。
【００４８】
文書管理サービス１２３は、文書管理アプリ３８に含まれる。なお、文書管理サービス１２３は、コントロールサービスとして設けてもよい。ステップＳ２１に続いてステップＳ２２に進み、文書管理サービス１２３はネットワーク機器２から受信した蓄積文書の文書ＩＤおよびパスワードをＭＣＳ４５に送信し、パスワードの認証要求を行う。パスワード認証要求は、例えば蓄積文書の文書ＩＤおよびパスワードを引数としたパスワード認証要求関数「int mcsCheckPassword（unsignedInt DocId, string password）」を用いて行う。
【００４９】
ＭＣＳ４５は、文書管理サービス１２３から受信したパスワードのパスワード認証を行う。ステップＳ２２に続いてステップＳ２３に進み、ＭＣＳ４５はパスワード認証の結果を文書管理サービス１２３に送信する。パスワード認証の結果は、例えばパスワード認証要求関数の返り値としてＭＣＳ４５から文書管理サービス１２３に送信される。
【００５０】
パスワードが認証されると、文書管理サービス１２３は図４に表すようなチケットを生成する。図４は、チケットについて説明するための説明図を示す。図４（Ａ）は例えばネットワーク機器２と文書管理サービス１２３との間で転送されるチケット１２４の構造体である。チケット１２４は、チケットＩＤ，チケットのデータサイズが格納されている。
【００５１】
また、図４（Ｂ）はチケット１２４を照合するための表１２６である。表１２６は文書管理サービス１２３により保持される。表１２６は、チケット内容情報およびチケット管理情報を含む。チケット内容情報は、チケットＩＤ，チケットの有効期限，ファイル数，文書ＩＤとしてのファイルＩＤとパスワードとが組になった構造体の配列を情報として有している。また、チケット管理情報はカレントのチケット番号，発行チケット数を情報として有している。なお、チケット１２４と表１２６とはチケットＩＤにより関連付けられている。
【００５２】
ステップＳ２４では、文書管理サービス１２３が、生成したチケット１２４をＮＣＳ４８のｈｔｔｐｄ１２１およびネットワーク３を介してネットワーク機器２に送信する。文書管理サービス１２３からネットワーク機器２へのチケット１２４の送信は、ＳＯＡＰおよびＸＭＬを利用して行われる。
【００５３】
ステップＳ２５では、ネットワーク機器２が、ステップＳ２４で受信したチケット１２４を融合機１の印刷サービス１３０に送信し、蓄積文書の印刷要求を行う。蓄積文書の印刷要求は、ＳＯＡＰおよびＸＭＬを利用して行われる。
【００５４】
印刷サービス１３０は、例えばプリンタアプリ３１に含まれる。なお、印刷サービス１３０は、コントロールサービスとして設けてもよい。ステップＳ２５に続いてステップＳ２６に進み、印刷サービス１３０はステップＳ２５で受信したチケット１２４を文書管理サービス１２３に送信し、そのチケットに対応する文書ＩＤの取得要求を行う。文書ＩＤ取得要求は、例えばチケット１２４を引数とした文書ＩＤ取得関数「arrayOfAnyURI getDocumentIdsByThicket(base64Binary ticket)」を用いて行う。
【００５５】
ステップＳ２６に続いてステップＳ２７に進み、文書管理サービス１２３は受信したチケット１２４に含まれるチケットＩＤに応じて表１２６から文書ＩＤを取得し、その文書ＩＤを印刷サービス１３０に送信する。文書ＩＤは、例えば文書ＩＤ取得関数の返り値として文書管理サービス１２３から印刷サービス１３０に送信される。
【００５６】
ステップＳ２７に続いてステップＳ２８に進み、印刷サービス１３０はステップＳ２７で受信した文書ＩＤをＥＣＳ４４に送信し、その文書ＩＤに対応する蓄積文書の印刷処理を行う。ここで、印刷サービス１３０およびＥＣＳ４４が行う蓄積文書印刷処理について図５を参照しつつ説明する。
【００５７】
図５は、印刷サービスおよびＥＣＳが行う蓄積文書印刷処理の一例のイベントフロー図を示す。ステップＳ１００では、印刷サービス１３０が関数を用いてＥＣＳ４４にジョブオープンを要求する。ステップＳ１００に続いてステップＳ１０１に進み、ＥＣＳ４４は関数の返り値としてジョブＩＤを印刷サービス１３０に送信する。
【００５８】
ステップＳ１０１に続いてステップＳ１０２に進み、印刷サービス１３０は関数を用いてＥＣＳ４４にジョブ動作モードの設定を要求する。ステップＳ１０２に続いてステップＳ１０３に進み、ＥＣＳ４４は関数の返り値としてジョブ動作モードの設定の成功または失敗を印刷サービス１３０に送信する。
【００５９】
ステップＳ１０３に続いてステップＳ１０４に進み、ＥＣＳ４４はイベントで実行可否通知を印刷サービス１３０に送信する。ステップＳ１０４に続いてステップＳ１０５に進み、印刷サービス１３０は関数を用いてＥＣＳ４４にジョブエントリを要求する。ステップＳ１０５に続いてステップＳ１０６に進み、ＥＣＳ４４は関数の返り値としてジョブエントリの成功または失敗を印刷サービス１３０に送信する。
【００６０】
ステップＳ１０６に続いてステップＳ１０７に進み、ＥＣＳ４４はイベントで実行可否通知を印刷サービス１３０に送信する。ステップＳ１０７に続いてステップＳ１０８に進み、印刷サービス１３０は関数を用いてＥＣＳ４４にジョブ開始を要求する。
【００６１】
ステップＳ１０８に続いてステップＳ１０９に進み、ＥＣＳ４４はイベントでジョブ終了通知および終了したジョブのジョブＩＤを印刷サービス１３０に送信する。ステップＳ１０９に続いてステップＳ１１０に進み、印刷サービス１３０が関数を用いてＥＣＳ４４にジョブクローズを要求する。
【００６２】
図５のようなイベントフローにより、印刷サービス１３０はステップＳ２７で受信した文書ＩＤに対応する蓄積文書の印刷処理を行うことができる。ステップＳ２８に続いてステップＳ２９に進み、印刷サービス１３０が、印刷処理の結果をＮＣＳ４８のｈｔｔｐｄ１２１およびネットワーク３を介してネットワーク機器２に送信する。印刷サービス１３０からネットワーク機器２への印刷処理の結果の送信は、ＳＯＡＰおよびＸＭＬを利用して行われる。
【００６３】
そして、ネットワーク機器２は融合機１から印刷処理の結果をネットワーク機器２の画面上に表示する。したがって、ユーザはネットワーク機器２を操作することにより、融合機１に蓄積されている蓄積文書を容易に印刷できる。なお、融合機１ではチケット１２４を利用することで印刷サービス１３０にパスワードを知らせることなく、認証済みの蓄積文書の印刷を可能としている。
【００６４】
また、融合機１ではチケット１２４を利用することで蓄積文書のデータ自体を無駄に転送することがなくなり、リソースの浪費およびネットワークに対する大きな負荷を防ぐことができる。なお、融合機１ではチケット１２４を利用することで、印刷サービス１３０にパスワードを知らせることなく認証済みの蓄積文書の印刷が可能である。
【００６５】
図６は、本発明による第２実施例の蓄積文書印刷方法について説明するための融合機の機能構成図を示す。なお、図６の機能構成図は説明に必要のない機能構成を省略している。また、図６のステップＳ３１〜Ｓ３３の処理は図３のステップＳ２１〜Ｓ２３と同様であるため、説明を省略する。
【００６６】
ステップＳ３４では、文書管理サービス１２３が、生成したチケット１２４をセッションＩＤと対応付けてセッションオブジェクト１３２に格納する。ステップＳ３４に続いてステップＳ３５に進み、文書管理サービス１２３はセッションオブジェクト１３２と対応付けたセッションＩＤ１３４をＮＣＳ４８のｈｔｔｐｄ１２１およびネットワーク３を介してネットワーク機器２に送信する。文書管理サービス１２３からネットワーク機器２へのセッションＩＤ１３４の送信は、ＳＯＡＰおよびＸＭＬを利用して行われる。
【００６７】
ステップＳ３６では、ネットワーク機器２が、ステップＳ３５で受信したセッションＩＤ１３４を融合機１の印刷サービス１３０に送信し、蓄積文書の印刷要求を行う。蓄積文書の印刷要求は、ＳＯＡＰおよびＸＭＬを利用して行われる。
【００６８】
ステップＳ３７では、印刷サービス１３０が、セッションオブジェクト１３２を参照し、ステップＳ３６で受信したセッションＩＤに対応するセッションオブジェクト１３２からチケット１２４を取得する。ここで、印刷サービス１３０はステップＳ３５でセッションＩＤを受信したネットワーク機器２と、ステップＳ３６でセッションＩＤ１２４を送信してきたネットワーク機器２とが同じであることを確認し、異なるネットワーク機器２からの蓄積文書の印刷要求を許可しないようにしてもよい。
【００６９】
なお、セッションオブジェクト１３２からチケット１２４を取得した後のステップＳ３８〜Ｓ４１の処理は図７のステップＳ２６〜Ｓ２９の処理と同様であるため、説明を省略する。
【００７０】
このように、融合機１とネットワーク機器２との間のネットワーク３上ではチケット１２４を送受信せず、チケット１２４を格納したセッションオブジェクト１３２に対応付けたセッションＩＤ１３４を送受信することでセキュリティを向上させることができる。
【００７１】
本発明は上記の実施例に限定されるものではなく、本発明の範囲内で種々の変形や変更が可能である。
【図面の簡単な説明】
【００７２】
【図１】本発明による融合機の一実施例の構成図である。
【図２】本発明による融合機の一実施例のハードウェア構成図である。
【図３】本発明による第１実施例の蓄積文書印刷方法について説明するための融合機の機能構成図である。
【図４】チケットについて説明するための説明図である。
【図５】印刷サービスおよびＥＣＳが行う蓄積文書印刷処理の一例のイベントフロー図である。
【図６】本発明による第２実施例の蓄積文書印刷方法について説明するための融合機の機能構成図である。
【符号の説明】
【００７３】
１    融合機
２    ネットワーク機器
３    ネットワーク
１１    白黒ラインプリンタ
１２    カラーラインプリンタ
１３    ハードウェアリソース
２０    ソフトウェア群
３０    アプリケーション
３１    プリンタアプリ
３２    コピーアプリ
３３    ファックスアプリ
３４    スキャナアプリ
３５    ネットファイルアプリ
３６    工程検査アプリ
３７    Ｗｅｂページアプリ
３８    文書管理アプリ
４０    プラットフォーム
４１    オペレーティングシステム（ＯＳ）
４２    システムコントロールサービス（ＳＣＳ）
４３    システムリソースマネージャ（ＳＲＭ）
４４    エンジンコントロールサービス（ＥＣＳ）
４５    メモリコントロールサービス（ＭＣＳ）
４６    オペレーションパネルコントロールサービス（ＯＣＳ）
４７    ファックスコントロールサービス（ＦＣＳ）
４８    ネットワークコントロールサービス（ＮＣＳ）
５０    融合機起動部
６０    コントローラ
６１    ＣＰＵ
６２    システムメモリ（ＭＥＭ−Ｐ）
６３    ノースブリッジ（ＮＢ）
６４    サウスブリッジ（ＳＢ）
６５    ＡＧＰ（Accelerated Graphics Port）
６６    ＡＳＩＣ
６７    ローカルメモリ（ＭＥＭ−Ｃ）
６８    ハードディスク装置（ＨＤＤ）
７０    オペレーションパネル
８０    ファックスコントロールユニット（ＦＣＵ）
９０    ＵＳＢデバイス
１００    ＩＥＥＥ１３９４デバイス
１１０    エンジン部
１２１    ｈｔｔｐｄ（HyperText Transfer Protocol Daemon）
１２３    文書管理サービス
１２４    チケット
１２６    表
１３０    印刷サービス
１３２    セッションオブジェクト
１３４    セッションＩＤ
【図１】
0004011083.tif 000002
【図２】
0004011083.tif 000003
【図３】
0004011083.tif 000004
【図４】
0004011083.tif 000005
【図５】
0004011083.tif 000006
【図６】
0004011083.tif 000007